(57)【要約】【課題】吐水ヘッドをスパウトに装着した状態で回転させることができ、回転時にめりはりの利いた節度ある操作感をもたせ、回転操作性を向上させるとともに、回転後の吐水ヘッドの方向を保持できる水栓装置を提供する。【解決手段】水栓のスパウト先端に設けられた吐水ヘッドが、スパウトに対して回転可能に構成された水栓装置において、スパウト先端に一つもしくは複数の突起を有する支持部材を設け、吐水ヘッドには、前記支持部材に嵌合する複数の弾性片を設け、該弾性片と弾性片間に前記突起と係合するスリットを設け、前記突起を回転することにより前記弾性片が前記突起を乗り越えたのち前記突起がスリットに係合する【選択図】  図２
2004293262.tif 000002
【特許請求の範囲】
【請求項１】
水栓のスパウト先端に設けられた吐水ヘッドが、スパウトに対して回転可能に構成された水栓装置において、スパウト先端に一つもしくは複数の突起を有する支持部材を設け、吐水ヘッドには、前記支持部材に嵌合する複数の弾性片を設け、該弾性片と弾性片間に前記突起と係合するスリットを設け、前記突起を回転することにより前記弾性片が前記突起を乗り越えたのち前記突起がスリットに係合することを特徴とする水栓装置。
【請求項２】
前記支持部材の外周には、スパウト方向に向かって拡がるテーパを形成したことを特徴とする請求項１に記載の水栓装置。
【発明の詳細な説明】
【０００１】
【発明の属する技術分野】
水栓のスパウト先端に設けられた吐水ヘッドが、スパウトに対して回転可能に構成された水栓装置に関する。
【０００２】
【従来の技術】
従来、水栓のスパウト先端に設けられた吐水ヘッドがスパウトに対して回転可能な水栓の構成として、スパウトの先端に抜け止め部材を介して接続部材と一体に結合した吐水ヘッドが装着されるものがある。抜け止め部材は、接続部材に設けた溝に嵌合させているので、吐水ヘッドはスパウトから脱落することもなく、スパウトに対して回転が可能になり、吐水ヘッドを所望する方向に向けることができる。（例えば特許文献１参照のこと）
また、吐水ヘッドが、スパウトから着脱自在に構成された水栓装置として、吐水ヘッド基端の外周及びスパウト基端の内周にセレーションを設け、使用者が所望する方向に吐水ヘッドを向けてスパウトに挿入し、支持されるような構造になったものがある。（例えば特許文献２参照のこと）
【０００３】
【特許文献１】
特開平１０−２８０４９９公報
【特許文献２】
特開平９−２６８６１４公報
【０００４】
【発明が解決しようとする課題】
従来のように、吐水ヘッドをスパウト先端に取り付け、該吐水ヘッドをスパウトに対して回転可能にした水栓では吐水ヘッドを自在に回転できるが、所望する吐水ヘッドの方向に保持する保持力と回転させるときの操作力を両立することが困難である。例えば、回転の操作力を優先した場合、吐水ヘッドを所望の位置まで回転させた後、吐水ヘッドに手が触れたりするだけで吐水ヘッドの向きが容易に変わってしまう。逆に、吐水ヘッドの保持力を優先させると、回転の操作力が悪くなるといった問題がある。
【０００５】
一方、吐水ヘッドがスパウトから着脱自在で、吐水ヘッドとスパウトにセレーションを設けて装着する構成では、吐水ヘッドをスパウトに取り付ける際、吐水ヘッドの向きを所望する方向に向けて、それぞれのセレーションが合致するように挿入し支持することが可能である。しかし、吐水ヘッドがスパウトに挿入・支持された状態において、吐水ヘッドの方向を変えようと操作してもセレーションによって吐水ヘッドが固定されているため、瞬時に吐水ヘッドの向きを変えることはできない。そのため、一度、吐水ヘッドをスパウトから引き出して所望の向きになるようにスパウトに装着するといった煩わしい操作を行わなければならず、使用者にとって不都合が生じていた。
【０００６】
【課題を解決するための手段】
そこで、本発明の請求項１では、水栓のスパウト先端に設けられた吐水ヘッドが、スパウトに対して回転可能に構成された水栓装置において、スパウト先端に一つもしくは複数の突起を有する支持部材を設け、吐水ヘッドには、前記支持部材に嵌合する複数の弾性片を設け、該弾性片と弾性片間に前記突起と係合するスリットを設け、、前記突起を回転することにより前記弾性片が前記突起を乗り越えたのち前記突起がスリットに係合することを特徴とする。
【０００７】
このような構造にすることにより、スパウトに装着した状態で吐水ヘッドを回転させることができ、吐水ヘッドの回転時に、弾性片が支持部材に設けた突起を乗り越えて回転するので、弾性片が突起を乗り越えるときに生じるたわみ力とこのたわみ力が無くなったときの差がめりはりの利いた節度ある操作感として使用者に伝えることができる。この節度ある操作感によって、吐水ヘッドを所望の位置までの回転操作性が向上するとともに、回転させた後は弾性片間の切り欠きに突起が位置するので、吐水ヘッドに手が触れた場合でも吐水ヘッドの向きが容易に変わるといった不具合も解消できる。
【０００８】
請求項２においては、前記支持部材の外周は、スパウト方向に向かって拡がるテーパを形成したことを特徴とする請求項１に記載の水栓装置とした。
【０００９】
このような構造にすることで、吐水ヘッドを支持部材に挿入するとき、弾性片が支持部材の外周のテーパによってたわみながら支持部材に挿入されるため、弾性片に支持部材に対する抵抗力（反力や摩擦力）が生じ、吐水ヘッドがスパウトから容易に脱落することを防止できる。特に、吐水ヘッドがスパウトから着脱自在に構成した水栓には好適である。
そこで、上述の不具合を解決するために、本発明は吐水ヘッドをスパウトに装着した状態で回転させることができ、回転時にめりはりの利いた節度ある操作感をもたせ回転操作性を向上させるとともに、回転後の吐水ヘッドの方向を充分保持できる水栓装置を提供することを目的とする。
【００１０】
【発明の実施の形態】
以下に図面を参照して本発明をより具体的に説明する。
図１は、本発明の構造を有する水栓装置の取り付け例である。図２は、本発明の水栓装置で、吐水ヘッドをスパウトから引き出した状態を示した図である。図３は、本発明の水栓で、吐水ヘッドをスパウトに装着した状態の断面図である。図４は、図３におけるＢ−Ｂ断面を示した図である。図５は、弾性片と支持部材を示した図である。図６は、吐水ヘッドの回転状態を示した図である。
【００１１】
本発明の水栓Ａは、図１に示すようにキッチンや洗面化粧台等に固定され、スパウト１が水平方向に旋回可能に取付けられており、レバー１１の操作によりスパウト１から湯水混合水を吐水可能としている。また、水栓Ａの吐水ヘッド５はキッチンのシンク周縁まで湯水混合水を供給するため、吐水ヘッド５がスパウト１から着脱自在であり、吐水ヘッド５をスパウト１に装着した状態でも左右に回転可能な構造となっている。
【００１２】
次に、本発明の水栓装置Ａのスパウト近傍の構成について、図２乃至図６により説明する。水栓装置Ａは、主に水栓本体１３から斜め上方に向けて延設されたスパウト１と、スパウト１の先端に取り付けた支持部材２と、スパウト１に対して着脱自在な吐水ヘッド５とで構成されている。
スパウト１の内部は、支持部材２を含めて中空部を形成し、可撓性を有するホース４を引出自在としている。。
【００１３】
支持部材２は、内部には貫通孔２ｄが設けられ、外部は、スパウト１への挿入部２ａとスパウト１に固定するためのフランジ２ｂと四角形状の断面を有する突起３を設けた支持部２ｃを形成している。支持部２ｃの外周面は、スパウト１の方向に向かって拡がるテーパ１０を設けている。
【００１４】
吐水ヘッド５は、本体カバー５ａ内に吐水口本体５ｂとスパウト１内を通るホース４を装着するための通水部材６を設けて組み立てており、通水部材６のスパウト１側には、複数の弾性片９及びスリット８が所定の間隔で設けられている。尚、ここで記載している吐水ヘッドとは、本体カバー５ａ、吐水口本体５ｂ、通水部材６を含めたもののことをいう。
【００１５】
これらの部品は、まず、スパウト１の先端にあらかじめホース４を挿通された支持部材２の挿入部２ａを挿入した後、スパウト１の下方からビス１２で支持部材２をスパウト１に固定する。その後、吐水ヘッド５内部に組み込まれた通水部材６までホース４先端を挿入し、抜け止め部材５ｃを用いてホース４を吐水ヘッド５に固定する。そして、吐水ヘッド５は、支持部材２を弾性片９の内部に挿入するようにしてスパウト１に装着するものである。
【００１６】
このように、組み立てられた水栓装置Ａは、図６に示すように、吐水ヘッド５をスパウト１に装着した状態で左右方向に回転することができるとともに使用者が所望する方向を保持することができる。次に、この回転動作について説明する。
【００１７】
図４に示すように、吐水ヘッド５の吐水口本体５ｂが真下の方向に向いているときを初期状態とする。このとき、通水部材６に設けたスリット８が、支持部材２の突起３に位置するようになっている。
この状態から左右何れかの方向に回転させると、突起３に弾性片９が当接し、弾性片９はたわみながら突起３を乗り越えて、弾性片９のもう一方のスリット８が、突起３に位置する。このような状態を繰り返して、使用者は所望する向きに吐水ヘッド５を回転することができる。
前述のように回転時に弾性片９が、支持部材２に設けた突起３を乗り越えて回転するので、弾性片９が突起３を乗り越えるときに生じるたわみ力とこのたわみ力が無くなったときの差が、めりはりの利いた節度ある操作感として使用者に伝えることができる。この節度ある操作感によって、吐水ヘッド５を所望の位置までの回転操作性が向上するとともに、回転させた後は弾性片９間のスリット８に突起３が位置するので、吐水ヘッド５に手が触れた場合でも吐水ヘッド５の向きが容易に変わることもない。
【００１８】
また、吐水ヘッド５をスパウト１に装着したときの支持力を向上させるため、支持部材２の支持部２ｃに、スパウト１の方向に拡がるようにテーパ１０を設けている。このようにすることで、吐水ヘッド５を支持部材２に挿入するとき、弾性片９が支持部２ｃのテーパ１０によってたわみながら支持部２ｃに挿入されるため、弾性片９に支持部２ｃに対する抵抗力（反力や摩擦力）が生じ、吐水ヘッド５がスパウト１から容易に脱落することを防止できる。
【００１９】
尚、上記実施形態では吐水ヘッドがスパウトから着脱自在に構成された水栓装置について説明したが、上記に限定されることなく、例えば吐水ヘッドがスパウトに対して回転される構造の水栓装置にも適用できる。
【００２０】
また、本発明で、支持部材２はスパウト１と別体とし組み立てる構造としたが、一体で構成しても問題ない。支持部材２に設けた突起３の位置も支持部２ｃの上方としたが、どの方向に設けても構わない。突起３を複数設けた場合も同様である。突起３の断面形状を四角形状としたが、吐水ヘッド５の回転に支障の無い程度に種々変更することは可能である。テーパ１０の拡がり角度Ｃも突起３の形状、数及び弾性片の形状によって様々に設定が可能である。
【００２１】
さらに、通水部材６に弾性片９を設ける構成としたが、本体カバー５ａに設けても問題はない。また、弾性片９は、突起３の数や形状によって自由に形状やその数を変えることが可能である。
【００２２】
【発明の効果】
以上により、吐水ヘッドをスパウトに装着した状態で回転させることができ、回転時にめりはりの利いた節度ある操作感をもたせ、回転操作性を向上させるとともに、回転後の吐水ヘッドの方向を充分保持できる水栓装置を提供することができる。
【図面の簡単な説明】
【図１】本発明の構造を有する水栓装置の取り付け例を示した図
【図２】吐水ヘッドをスパウトから引き出した状態を示した図
【図３】吐水ヘッドをスパウトに装着した状態を示した断面図
【図４】図３におけるＢ−Ｂ断面を示した図
【図５】弾性片と支持部材を示した図
【図６】吐水ヘッドの回転状態を示した図
【符号の説明】
１  スパウト
２  支持部材
３  突起
４  ホース
５  吐水ヘッド
６  通水部材
８  スリット
９  弾性片
１０  テーパ
１１  レバー
１２  ビス
１３  水栓本体
【図１】
2004293262.tif 000003
【図２】
2004293262.tif 000004
【図３】
2004293262.tif 000005
【図４】
2004293262.tif 000006
【図５】
2004293262.tif 000007
【図６】
2004293262.tif 000008